(57)【要約】【課題】スパウトパウチから吐出される内容物の量のばらつきを小さくする。【解決手段】スパウトパウチセット１はパウチ２０と、スパウト７０と、アタッチメント１００とを含む。パウチ１０は対向する第１シート２１および第２シート２２と、内容物Ｃを収容できる収容空間３０が形成されるように第１シート２１および第２シート２２を接合するシール部４０とを含む。スパウト７０は内容物Ｃが流入する入口７２が収容空間３０に開口するようにシール部４０により保持される。抵抗部５０はスパウト７０の入口７２の周囲の部分である周囲部２４が圧縮された場合に、周囲部２４内に形成される第１空間３１から第２空間３２への内容物Ｃの流れを妨げることができるように第１シート２１と第２シート２２とを接合する。アタッチメント１００は第１シート２１および第２シート２２の周囲部２４が互いに接近するようにパウチ２０を圧縮可能に構成される。【選択図】図１
2018095300.tif 000002
【特許請求の範囲】
【請求項１】
対向する第１シートおよび第２シートと、内容物を収容できる収容空間が前記第１シートと前記第２シートとの間に形成されるように前記第１シートおよび前記第２シートを接合するシール部とを含むパウチと、
前記内容物が流入する入口を含み、前記入口が前記収容空間に開口するように前記シール部により保持されるスパウトと、
前記第１シートおよび前記第２シートにおける前記スパウトの入口の周囲の部分である周囲部が圧縮された場合に、前記周囲部内に形成される第１空間から前記第１空間よりも前記スパウトの入口から離れた第２空間への前記内容物の流れを妨げることができるように前記第１シートと前記第２シートとを接合する抵抗部と、
前記第１シートの前記周囲部および前記第２シートの前記周囲部が接近するように前記パウチを圧縮可能なアタッチメントとを含む
スパウトパウチセット。
【請求項２】
前記シール部は前記スパウトを保持する保持部を含む第１シール部、および、前記収容空間に対して前記第１シール部とは反対側に設けられる第２シール部を含み、
前記抵抗部は前記第１シール部と前記第２シール部との間において前記第１シール部寄りに設けられる
請求項１に記載のスパウトパウチセット。
【請求項３】
前記抵抗部は前記保持部と前記第２シール部との間に設けられ、
前記第１空間は前記保持部と前記抵抗部との間の領域を含む
請求項２に記載のスパウトパウチセット。
【請求項４】
前記パウチは前記第２空間から前記第１空間に前記内容物が移動できるように前記抵抗部と前記第１シール部との間に設けられる通路をさらに含み、
前記通路の幅は前記抵抗部の幅よりも広い
請求項２または３に記載のスパウトパウチセット。
【請求項５】
前記アタッチメントは前記パウチを挟み込むことが可能な第１アームおよび第２アームを含む
請求項１〜４のいずれか一項に記載のスパウトパウチセット。
【請求項６】
前記アタッチメントは前記第１アームと前記第２アームとを繋げる連結部をさらに含む
請求項５に記載のスパウトパウチセット。
【請求項７】
前記第１アームおよび前記第２アームは前記連結部と繋がる部分以外において隙間を隔てて対向する
請求項６に記載のスパウトパウチセット。
【発明の詳細な説明】
【技術分野】
【０００１】
本発明はスパウトパウチを含むスパウトパウチセットに関する。
【背景技術】
【０００２】
スパウトパウチは内容物を収容可能なパウチ、および、パウチ内の内容物を吐出するスパウトを含む。ユーザーはパウチ内の内容物を利用する場合、スパウトから内容物が吐出されるようにパウチの一部を手で圧縮する(例えば、特許文献１参照)。
【先行技術文献】
【特許文献】
【０００３】
【特許文献１】特開２０１５−４８１４３号公報
【発明の概要】
【発明が解決しようとする課題】
【０００４】
従来のスパウトパウチによれば、必要な量の内容物をスパウトパウチから吐出させるためにユーザーがパウチを圧縮する動作を複数回実施した場合に、その動作の１回あたりにスパウトパウチから吐出される内容物の量がばらつきやすい。
【課題を解決するための手段】
【０００５】
(１)対向する第１シートおよび第２シートと、内容物を収容できる収容空間が前記第１シートと前記第２シートとの間に形成されるように前記第１シートおよび前記第２シートを接合するシール部とを含むパウチと、前記内容物が流入する入口を含み、前記入口が前記収容空間に開口するように前記シール部により保持されるスパウトと、前記第１シートおよび前記第２シートにおける前記スパウトの入口の周囲の部分である周囲部が圧縮された場合に、前記周囲部内に形成される第１空間から前記第１空間よりも前記スパウトの入口から離れた第２空間への前記内容物の流れを妨げることができるように前記第１シートと前記第２シートとを接合する抵抗部と、前記第１シートの前記周囲部および前記第２シートの前記周囲部が接近するように前記パウチを圧縮可能なアタッチメントとを含むスパウトパウチセット。
周囲部がアタッチメントにより圧縮された場合に第１空間に滞留している内容物を様々な方向に流そうとする力が働く。上記スパウトパウチは抵抗部を含むため、第１空間から第２空間に流れようとする内容物の流れの少なくとも一部が抵抗部により妨げられ、第１空間の内容物がスパウトの入口に流入しやすくなる。このため、パウチを圧縮する動作の１回あたりにスパウトパウチから吐出される内容物の量がばらつきにくい。
【０００６】
(２)前記シール部は前記スパウトを保持する保持部を含む第１シール部、および、前記収容空間に対して前記第１シール部とは反対側に設けられる第２シール部を含み、前記抵抗部は前記第１シール部と前記第２シール部との間において前記第１シール部寄りに設けられる(１)に記載のスパウトパウチセット。
このため、パウチが圧縮された場合に第１空間から第２空間に流れようとする内容物の流れが速やかに妨げられ、スパウトから内容物が速やかに吐出される。
【０００７】
(３)前記抵抗部は前記保持部と前記第２シール部との間に設けられ、前記第１空間は前記保持部と前記抵抗部との間の領域を含む(２)に記載のスパウトパウチセット。
このため、周囲部がアタッチメントにより圧縮された場合に第１空間において保持部の近くに滞留している内容物が第２シール部側に流れることが抵抗部により妨げられ、第１空間の内容物がスパウトの入口に一層流入しやすくなる。
【０００８】
(４)前記パウチは前記第２空間から前記第１空間に前記内容物が移動できるように前記抵抗部と前記第１シール部との間に設けられる通路をさらに含み、前記通路の幅は前記抵抗部の幅よりも広い(２)または(３)に記載のスパウトパウチセット。
このため、スパウトが第２シール部よりも下方に位置するようにスパウトパウチの姿勢が保持された場合に第２空間から第１空間に内容物が流れやすく、第１空間が内容物により満たされた状態が速やかに形成される。
【０００９】
(５)前記アタッチメントは前記パウチを挟み込むことが可能な第１アームおよび第２アームを含む(１)〜(４)のいずれか一項に記載のスパウトパウチセット。
このため、ユーザーは第１アームおよび第２アームを一方の手で握るだけで、アタッチメントによりパウチのうちの周囲部を含む部分をおおよそ均一に圧縮できる。
【００１０】
(６)前記アタッチメントは前記第１アームと前記第２アームとを繋げる連結部をさらに含む(５)に記載のスパウトパウチセット。
このため、アタッチメントを保管しやすい。
【００１１】
(７)前記第１アームおよび前記第２アームは前記連結部と繋がる部分以外において隙間を隔てて対向する(６)に記載のスパウトパウチセット。
このため、各アームが握られた場合に各アームのおおよそ全体が互いに接近し、パウチのうちの周囲部を含む部分がより均一に圧縮される。
【発明の効果】
【００１２】
本発明に関するスパウトパウチセットによれば、スパウトパウチから吐出される内容物の量がばらつきにくい。
【図面の簡単な説明】
【００１３】
【図１】実施形態のスパウトパウチセットの正面図。
【図２】図１のアタッチメントの斜視図。
【図３】ユーザーがアタッチメントを掴んだ状態を示す正面図。
【図４】内容物の流れの一例を示す正面図。
【図５】図１のＤ５−Ｄ５線に沿う断面図。
【図６】パウチがアタッチメントにより圧縮された状態を示す断面図。
【図７】第１試験に関する比較例の試験条件および試験結果を示す表。
【図８】第１試験に関する実施例の試験条件および試験結果を示す表。
【図９】第２試験に関する実施例の試験条件および試験結果を示す表。
【図１０】第３試験に関する実施例の試験条件および試験結果を示す表。
【図１１】第４試験に関する実施例の試験条件および試験結果を示す表。
【図１２】第５試験に関する実施例の試験条件および試験結果を示す表。
【図１３】第６試験に関する実施例の試験条件および試験結果を示す表。
【図１４】変形例Ａのスパウトパウチセットの一部の正面図。
【図１５】変形例Ｂのスパウトパウチセットの一部の正面図。
【図１６】変形例Ｃのアタッチメントの斜視図。
【図１７】変形例Ｄのアタッチメントの斜視図。
【発明を実施するための形態】
【００１４】
(実施形態)
図１に示されるように、スパウトパウチセット１はスパウトパウチ１０およびアタッチメント１００を含む。スパウトパウチ１０は内容物Ｃの収容、および、収容した内容物Ｃの吐出が可能な容器である。内容物Ｃの一例は流動性を有する物体である。これに該当する物体の例は液体およびゾルである。液体の一例は洗浄液および調味料である。洗浄液の一例はシャンプー、リンス、ボディソープ、および、ハンドソープである。調味料の一例は醤油、みりん、および、調理酒である。ゾルの一例は牛乳である。図１に例示される内容物Ｃはシャンプーである。
【００１５】
スパウトパウチ１０はパウチ２０、スパウト７０、および、キャップ８０を含む。パウチ２０は内容物Ｃの品質を保ちながら長期間保存できるように構成された袋である。パウチ２０は種々の形状を取り得る。パウチ２０が取り得る形状の例は、平袋タイプ、スタンディングタイプ、ガゼットタイプ、および、ピラータイプである。図１に例示されるパウチ２０の形状は平袋タイプである。以下では、パウチ２０の正面視におけるパウチ２０の左右方向を幅方向と称し、幅方向と直交する方向を高さ方向と称する。
【００１６】
パウチ２０は第１シート２１、第２シート２２、および、シール部４０を含む。図１等ではシール部４０にドットを記入している。各シート２１、２２の構成は任意に選択できる。第１例では、各シート２１、２２を含む１枚のシートが折り曲げられることにより、互いに対向する各シート２１、２２が構成される。第２例では、各シート２１、２２は個別に形成された２枚のシートである。各シート２１、２２の層構造は任意に選択できる。一例では、各シート２１、２２は最外層、中間層、および、最内層を含む。各シート２１、２２の製造方法の一例はドライラミネートである。最外層と中間層との間、および、中間層と最内層との間のそれぞれに形成される接着剤の層により各層が接合されている。
【００１７】
最外層は主に光沢、印刷適正、および、耐レトルト性に優れる。最外層を構成する材料の一例はポリエチレンテレフタレートである。中間層は主に耐レトルト性、防湿性、および、ガス遮断性に優れる。中間層を構成する材料の一例はナイロンである。最内層は耐レトルト性、ヒートシール性、および、耐衝撃性に優れる。最内層を構成する材料の一例は直鎖状低密度ポリエチレンである。
【００１８】
シール部４０は、内容物Ｃを収容する収容空間３０が第１シート２１と第２シート２２との間に形成されるように、互いに対向する各シート２１、２２を接合している。一例では、シール部４０は第１シート２１の最内層の外周部と第２シート２２の最内層の外周部とを接合している。シール部４０を形成する方法の一例はヒートシールである。正面視におけるパウチ２０の外郭形状は任意に選択できる。図示される例では、パウチ２０の外郭形状は長方形である。各シート２１、２２はそれぞれシール部４０とシール部４０に囲まれた部分(以下「内方部２３」という)とに区分できる。収容空間３０は第１シート２１の内方部２３と第２シート２２の内方部２３との間に形成される。
【００１９】
シール部４０は第１シール部４１、第２シール部４２、第３シール部４３、および、第４シール部４４を含む。第１シール部４１および第２シール部４２はパウチ２０の高さ方向において内方部２３に対して互いに反対側に設けられている。第１シール部４１はスパウト７０を保持する保持部４１Ｒを含む。第３シール部４３および第４シール部４４はパウチ２０の幅方向において内方部２３に対して互いに反対側に設けられている。第３シール部４３は第１シール部４１の第１端部４１Ａと第２シール部４２の第１端部４２Ａとを繋げている。第４シール部４４は第１シール部４１の第２端部４１Ｂと第２シール部４２の第２端部４２Ｂとを繋げている。
【００２０】
第１シール部４１における内方部２３側の縁である内縁４０Ａ、第２シール部４２における内方部２３側の縁である内縁４０Ｂ、第３シール部４３における内方部２３側の縁である内縁４０Ｃ、および第４シール部４４における内方部２３側の縁である内縁４０Ｄは、内方部２３の外郭を規定している。第１シール部４１における内縁４０Ａとは反対側の縁である外縁４０Ｅ、第２シール部４２における内縁４０Ｂとは反対側の縁である外縁４０Ｆ、第３シール部４３における内縁４０Ｃとは反対側の縁である外縁４０Ｇ、および、第４シール部４４における内縁４０Ｄとは反対側の縁である外縁４０Ｈは、パウチ２０の外郭を規定している。
【００２１】
各シール部４１〜４４の幅は任意に選択できる。各シール部４１〜４４の幅は、各シール部４１〜４４の内縁４０Ａ〜４０Ｄおよび外縁４０Ｅ〜４４Ｈに直交する線分における内縁４０Ａ〜４０Ｄと外縁４０Ｅ〜４０Ｈとの間の長さである。各シール部４１〜４４の幅が一定でない場合、例えば内縁４０Ａ〜４０Ｄと外縁４０Ｅ〜４０Ｈとの間の長さのうちの最大の長さが各シール部４１〜４４の幅を代表する。
【００２２】
パウチ２０の幅は、第３シール部４３の外縁４０Ｇおよび第４シール部４４の外縁４０Ｈに直交する線分における外縁４０Ｇと外縁４０Ｈとの間の距離である。パウチ２０の幅が一定でない場合、例えば外縁４０Ｇと外縁４０Ｈとの間の長さのうちの最大の長さがパウチ２０の幅を代表する。パウチ２０の高さは、第１シール部４１の外縁４０Ｅおよび第２シール部４２の外縁４０Ｆに直交する線分における外縁４０Ｅと外縁４０Ｆとの間の距離である。パウチ２０の高さが一定でない場合、例えば外縁４０Ｅと外縁４０Ｆとの間の長さのうちの最大の長さがパウチ２０の高さを代表する。
【００２３】
スパウト７０はパウチ２０の収容空間３０に収容されている内容物Ｃをパウチ２０の外部に吐出できるようにシール部４０により保持されている。パウチ２０に対するスパウト７０の位置は任意に選択できる。第１例では、スパウト７０はパウチ２０の幅方向において第３シール部４３寄りに設けられる。第２例では、スパウト７０はパウチ２０の幅方向において第４シール部４４寄りに設けられる。第３例では、スパウト７０はパウチ２０の幅方向の中心に設けられる。図１では第１例を示している。
【００２４】
スパウト７０は胴部７１、入口７２、出口７３、および、逆止弁７４を含む。胴部７１は、第１シール部４１において第１シート２１と第２シート２２との間に挿入され、胴部７１の外周と各シート２１、２２との間から内容物Ｃが漏れないように各シート２１、２２と接合されている。入口７２は収容空間３０に開口するように胴部７１の一方の端部に設けられている。出口７３はパウチ２０の外部に開口するように胴部７１の他方の端部に設けられている。逆止弁７４は胴部７１内に設けられている。逆止弁７４はスパウト７０の出口７３からパウチ２０内に空気が流れることを抑制し、入口７２から胴部７１内に流入した内容物Ｃの圧力の上昇にともない開弁するように構成されている。スパウト７０に逆止弁７４が設けられているため、パウチ２０にエアバックが発生しにくい。
【００２５】
キャップ８０はスパウト７０に着脱可能である。キャップ８０とスパウト７０とを着脱可能に結合する構造の一例は、キャップ８０に設けられる雌ねじ、および、スパウト７０に設けられる雄ねじである。キャップ８０がスパウト７０に取り付けられている場合、スパウト７０は内容物Ｃを吐出できない。キャップ８０がスパウト７０から取り外されている場合、スパウト７０は内容物Ｃを吐出できる。
【００２６】
パウチ２０内に収容されている内容物Ｃの量(以下では「内容量」という)は、パウチ２０に予め充填される内容物Ｃの内容量(以下では「初期内容量」という)を基準として例えば３段階のレベルに区分される。一例では、内容量は重量および体積の一方により規定される。第１レベルは初期内容量の１００％以下かつ６６％超の範囲である。第２レベルは初期内容量の６６％以下かつ３３％超の範囲である。第３レベルは初期容量の３３％以下かつ０％超の範囲である。
【００２７】
ユーザーは内容物Ｃを使用するためにスパウトパウチ１０から内容物Ｃを吐出させる場合、キャップ８０をスパウト７０から取り外し、パウチ２０の一部を片手または両手で圧縮する。内容物Ｃが洗浄液である場合、ユーザーは片手でパウチ２０を圧縮することが多い。内容物Ｃをスパウトパウチ１０から吐出させるためにパウチ２０を圧縮する動作(以下「圧縮動作」という)が実施された場合、パウチ２０内に収容されている内容物Ｃは収容空間３０からスパウト７０の入口７２に流入し、逆止弁７４を通過し、出口７３からパウチ２０の外部に吐出される。１回の圧縮動作あたりにパウチ２０から吐出される内容物Ｃの量(以下「単位吐出量」という)は、圧縮動作毎にばらつきにくいことが好ましい。さらに単位吐出量は内容物Ｃに応じた目標値と実質的に一致すること、または、目標値との差が小さいことが好ましい。内容物Ｃがシャンプーである場合、単位吐出量の目標値は例えば３ｇである。
【００２８】
パウチ２０を手で直接的に圧縮する圧縮動作が実施された場合、パウチ２０を圧縮する部位およびパウチ２０を圧縮する強さが圧縮動作毎にばらつき、単位吐出量が圧縮動作毎にばらつくおそれがある。圧縮動作毎の単位吐出量のばらつきを抑えるためには、各シート２１、２２の内方部２３におけるスパウト７０の入口７２周囲の部分(以下では「周囲部２４」という)内の内容物Ｃがスパウト７０に流れるようにパウチ２０を圧縮することが好ましい。このような圧縮動作を正確に実施しようとした場合、ユーザーは両手でパウチ２０を圧縮する必要がある。パウチ２０の利便性の点から、ユーザーが片手でパウチ２０を圧縮した場合でも圧縮動作毎の単位吐出量のばらつきが小さいことが好ましい。スパウトパウチセット１はこれを実現するために定量吐出手段を備える。
【００２９】
図１に示されるように、パウチ２０は定量吐出手段を構成する抵抗部５０をさらに含む。抵抗部５０は、各シート２１、２２の内方部２３のうちの少なくとも周囲部２４が圧縮された場合に、周囲部２４内に形成される第１空間３１から第１空間３１よりもスパウト７０の入口７２から離れた第２空間３２への内容物Ｃの流れを妨げることができるように第１シート２１と第２シート２２とが接合された部分である。第１空間３１および第２空間３２はそれぞれ収容空間３０の一部である。
【００３０】
一例では、抵抗部５０はシール部４０と同様に各シート２１、２２をヒートシールすることにより形成されたシール部である。抵抗部５０は第１シール部４１と第２シール部４２との間において第１シール部４１寄りに設けられている。抵抗部５０は第１シール部４１と平行するようにパウチ２０の幅方向に延びている。抵抗部５０は保持部４１Ｒと第２シール部４２との間に設けられた部分を含む。抵抗部５０は第１端部５１および第２端部５２を含む。第１端部５１は抵抗部５０の長手方向の一方の端部であり、第３シール部４３と繋がる。第２端部５２は抵抗部５０の長手方向の他方の端部であり、第４シール部４４から離れた位置に設けられている。
抵抗部５０の第１縁５０Ａ、第２縁５０Ｂ、および、第３縁５０Ｃは抵抗部５０の外郭を規定している。第１縁５０Ａは第１シール部４１側の縁である。第２縁５０Ｂは第２シール部４２側の縁である。第３縁５０Ｃは第１縁５０Ａと第２縁５０Ｂとを繋げる縁である。以下では、第１縁５０Ａと第３縁５０Ｃとにより構成される抵抗部５０の角を第１角５０Ｄと称し、第２縁５０Ｂと第３縁５０Ｃとにより構成される抵抗部５０の角を第２角５０Ｅと称する。
【００３１】
パウチ２０の幅方向における抵抗部５０の長さ(以下「抵抗部長さＬＲ」という)は任意に選択可能である。抵抗部長さＬＲは抵抗部５０の第１端部５１と第２端部５２との間の長さである。第１例では、抵抗部長さＬＲは第３シール部４３の内縁４０Ｃと第４シール部４４の内縁４０Ｄとの間の長さ(以下「内縁間隔」という)の半分以下である。第２例では、抵抗部長さＬＲは内縁間隔の半分よりも長い。抵抗部５０の幅は任意に選択可能である。抵抗部５０の幅は抵抗部５０の第１縁５０Ａおよび第２縁５０Ｂと直交する線分における第１縁５０Ａと第２縁５０Ｂとの間の長さである。第１例では、抵抗部５０の幅は抵抗部５０の長手方向の全体にわたり一定である。第２例では、抵抗部５０は互いに幅が異なる複数の部分を含む。図１に示される例では、抵抗部５０の幅は抵抗部５０の長手方向の全体にわたりシール部４０の幅と実質的に等しい。
【００３２】
第１空間３１は抵抗部５０の第１縁５０Ａ、第１境界線Ｌ１、第１シール部４１の内縁４０Ａの第１部分４０Ａ１、および、第３シール部４３の内縁４０Ｃの第１部分４０Ｃ１により囲まれた空間である。第１境界線Ｌ１は抵抗部５０の第３縁５０Ｃ上を通過する直線における第１角５０Ｄと第１シール部４１の内縁４０Ａとの間の部分である。内縁４０Ａの第１部分４０Ａ１は、内縁４０Ａのうちの第１境界線Ｌ１と内縁４０Ａとの交点よりも第３シール部４３側の部分である。内縁４０Ｃの第１部分４０Ｃ１は、内縁４０Ｃのうちの第１縁５０Ａとの交点よりも第１シール部４１側の部分である。好ましい例では、第１空間３１の容積は、１回あたりの圧縮動作における吐出量が単位吐出量の目標値に対して一定の誤差範囲に含まれるように設定される。ここでの圧縮動作としては、周囲部２４がアタッチメント１００によりおおよそ均一に圧縮された場合を想定している。第１空間３１の容積は少なくとも単位吐出量の目標値よりも多い量の内容物Ｃを収容できる大きさである。なお、第１空間３１に滞留する内容物Ｃの量はスパウトパウチ１０の配置状態の影響を受ける。ここでは、スパウト７０が第２シール部４２よりも下方に位置する姿勢(以下「保管時姿勢」)でスパウトパウチ１０が保管され、保管時姿勢が保たれた時間が一定時間以上である場合に第１空間３１に滞留している内容物Ｃの量を想定している。一定時間は、スパウトパウチ１０の姿勢が保管時姿勢以外の姿勢から保管時姿勢に変更され、それにともない重力により内容物Ｃが流動し、その内容物Ｃの流動が実質的に終了するまでに要する時間である。
【００３３】
第２空間３２は収容空間３０のうちの第１空間３１以外の部分である。第２空間３２は第３空間３３、第４空間３４、および、第５空間３５に区分できる。内容量が初期内容量であり、保管時姿勢が保たれた時間が一定時間以上である場合、図１に示されるように第２空間３２における第２シール部４２側の部分に内容物Ｃが滞留していない空間が形成される。
【００３４】
第３空間３３は第１境界線Ｌ１、第２境界線Ｌ２、第４シール部４４の内縁４０Ｄの第１部分４０Ｄ１、および、第１シール部４１の内縁４０Ａの第２部分４０Ａ２に囲まれた部分である。内縁４０Ａの第２部分４０Ａ２は内縁４０Ａのうちの第１境界線Ｌ１との交点よりも第４シール部４４側の部分である。第２境界線Ｌ２は抵抗部５０の第１縁５０Ａ上を通過する直線における第１角５０Ｄと第４シール部４４の内縁４０Ｄとの間の部分である。内縁４０Ｄの第１部分４０Ｄ１は内縁４０Ｄのうちの第２境界線Ｌ２との交点よりも第１シール部４１側の部分である。
【００３５】
第４空間３４は、第２境界線Ｌ２、抵抗部５０の第３縁５０Ｃ、第３境界線Ｌ３、および、第４シール部４４の内縁４０Ｄの第２部分４０Ｄ２に囲まれた部分である。第３境界線Ｌ３は抵抗部５０の第２縁５０Ｂ上を通過する直線のうちの第２角５０Ｅと第４シール部４４の内縁４０Ｄとの間の部分である。内縁４０Ｄの第２部分４０Ｄ２は内縁４０Ｄのうちの第２境界線Ｌ２との交点と第３境界線Ｌ３との交点との間の部分である。
【００３６】
第５空間３５は、抵抗部５０の第２縁５０Ｂ、第３境界線Ｌ３、第４シール部４４の内縁４０Ｄの第３部分４０Ｄ３、第２シール部４２の内縁４０Ｂ、および、第３シール部４３の内縁４０Ｃの第２部分４０Ｃ２に囲まれた部分である。内縁４０Ｃの第２部分４０Ｃ２は内縁４０Ｃのうちの抵抗部５０の第２縁５０Ｂとの交点よりも第２シール部４２側の部分である。内縁４０Ｄの第３部分４０Ｄ３は内縁４０Ｄのうちの第２境界線Ｌ２との交点よりも第２シール部４２側の部分である。
【００３７】
パウチ２０は連通部６０をさらに含む。連通部６０は第１連通部６１および第２連通部６２を含む。第１連通部６１は第２空間３２の一部である第３空間３３から第１空間３１に内容物Ｃが移動できるように抵抗部５０の第２端部５２と第１シール部４１との間に形成されている。第１連通部６１は第１境界線Ｌ１上に形成される通路６１Ａを含む。通路６１Ａの幅はスパウトパウチ１０の姿勢が保管時姿勢以外の姿勢から保管時姿勢に変更された場合、第３空間３３から第１空間３１に速やかに内容物Ｃが流れるように設定されることが好ましい。通路６１Ａの幅はパウチ２０の高さ方向における第１角５０Ｄと第１シール部４１の内縁４０Ａとの距離である。一例では、通路６１Ａの幅は抵抗部５０の幅よりも広い。
【００３８】
第２連通部６２は第２空間３２の一部である第５空間３５から第４空間３４を通過して第３空間３３に内容物Ｃが移動できるように抵抗部５０の第２端部５２と第４シール部４４との間に形成されている。第２連通部６２は第３境界線Ｌ３上に形成される通路６２Ａを含む。通路６２Ａの幅はスパウトパウチ１０の姿勢が保管時姿勢以外の姿勢から保管時姿勢に変更された場合、第５空間３５から第４空間３４を介して第３空間３３に速やかに内容物Ｃが流れるように設定されることが好ましい。通路６２Ａの幅はパウチ２０の幅方向における第２角５０Ｅと第４シール部４４の内縁４０Ｄとの距離である。一例では、通路６２Ａの幅は抵抗部５０の幅よりも広い。
【００３９】
図２は単独の状態におけるアタッチメント１００の斜視図である。アタッチメント１００は定量吐出手段を構成する。アタッチメント１００は片手で操作できるように構成されている。アタッチメント１００を構成する材料は、例えば、アタッチメント１００の軽量化の点から決められることが好ましい。アタッチメント１００は主に片手で操作されるため、操作性を向上する点から、アタッチメント１００が軽量であることが好ましい。アタッチメント１００を構成する材料の一例は透明または半透明の樹脂材料である。樹脂材料の一例はポリプロピレンである。
【００４０】
アタッチメント１００は第１アーム１１０、第２アーム１２０、および、連結部１３０を含む。第１アーム１１０と第２アーム１２０とは隙間１０１を介して対向する。隙間１０１の大きさである第１アーム１１０の内面１１１と第２アーム１２０の内面１２１との距離Ｌは、パウチ２０を挟み込むことができる大きさに設定される。各アーム１１０、１２０は、少なくとも各シート２１、２２の周囲部２４(図１参照)の全体を圧縮できる大きさを有する平板である。一例では、各アーム１１０、１２０は各シート２１、２２の第１対象部２５の全体を圧縮できる大きさを有する。第１対象部２５は各シート２１、２２の内方部２３のうちの第３境界線Ｌ３と第１シール部４１の内縁４０Ａとの間の部分である。図示される例では、各アーム１１０、１２０は第１対象部２５に加え、第２境界線Ｌ２よりも第２シール部４２側の一部(以下「第２対象部２６」)も圧縮可能な大きさを有する。
【００４１】
スパウトパウチ１０とアタッチメント１００との接合関係は任意に選択できる。第１例では、アタッチメント１００がスパウトパウチ１０から離れないように、アタッチメント１００がスパウトパウチ１０に接合される。例えば、第１アーム１１０の内面１１１がパウチ２０の第１シート２１と接合され、第２アーム１２０の内面１２１がパウチ２０の第２シート２２と接合される。アタッチメント１００とスパウトパウチ１０とを接合する手段は例えば接着剤である。第２例では、アタッチメント１００がスパウトパウチ１０と接合されず、内容物Ｃの使用時にアタッチメント１００の隙間１０１にスパウトパウチ１０が挿入される。
【００４２】
アタッチメント１００がスパウトパウチ１０を挟んだ状態(以下「セット状態」という)に関する好ましい例では、各アーム１１０、１２０の縁１０２が第１シール部４１の内縁４０Ａに沿って内縁４０Ａ近傍に位置し、連結部１３０の内面１３１が第４シール部４４の外縁４０Ｈに沿って外縁４０Ｈ近傍に位置する。縁１０２は各アーム１１０、１２０における長手方向に沿う縁の一方である。内縁４０Ａ近傍は縁１０２が内縁４０Ａに対してわずかに内方部２３側にずれた位置、および、縁１０２が実質的に内縁４０Ａと重なる位置を含む。外縁４０Ｈ近傍は、内面１３１が外縁４０Ｈとの間に微小な隙間を形成する位置、および、内面１３１が外縁４０Ｈと実質的に接触する位置を含む。好ましいセット状態では、各アーム１１０、１２０の内面１１１、１２１がそれぞれ第１対象部２５および第２対象部２６の全体と対向する。
【００４３】
図５は図１のＤ５−Ｄ５線に沿う断面図である。第１対象部２５および第２対象部２６内に形成される収容空間３０に適度な量の内容物Ｃが滞留している場合、内容物Ｃが各シート２１、２２を押し広げようとする力が各アーム１１０、１２０に作用し、パウチ２０が各アーム１１０、１２０により適度に圧縮された状態が形成される。このため、第１アーム１１０の内面１１１の広い範囲が第１シート２１と接触し、第２アーム１２０の内面１２１の広い範囲が第２シート２２と接触する。
【００４４】
スパウトパウチセット１は例えば次のように使用される。スパウトパウチ１０の保管状態の一例では、保持部材(図示略)によりスパウトパウチ１０が保管時姿勢に保たれる。保持部材の第１例はスパウトパウチ１０の姿勢を保持できるスタンドである。この場合、スパウト７０が第２シール部４２よりも下方に位置するようにスパウトパウチ１０がスタンドに配置される。保持部材の第２例はスパウトパウチ１０を吊り下げることができるクリップまたはフックである。この場合、スパウト７０が第２シール部４２よりも下方に位置するようにスパウトパウチ１０が壁面等に設けられたクリップまたはフックに吊り下げられる。スパウト７０が下方に位置するため、パウチ２０内の内容物Ｃが重力により収容空間３０内における第１シール部４１側に移動し、収容空間３０内において相対的に第２シール部４２側よりも第１シール部４１側に内容物Ｃが多く溜まる。なお、保持部材としてフックが用いられる場合、フックを引っ掛けることが可能な引掛部(図示略)がスパウトパウチ１０に設けられる。引掛部の一例は内容物Ｃが漏れないようにパウチ２０に形成される穴または切り欠きである。
【００４５】
スパウトパウチセット１の使用方法は、スパウトパウチセット１の接合関係、および、保持部材の種類に応じて異なる。一例では、接合関係および保持部材の種類の組み合わせは次の４つを取り得る。第１例は、スパウトパウチ１０とアタッチメント１００とが接合され、保持部材がスタンドの場合である。第２例は、スパウトパウチ１０とアタッチメント１００とが接合されず、保持部材がスタンドの場合である。第３例は、スパウトパウチ１０とアタッチメント１００とが接合され、保持部材がフックの場合である。第４例は、スパウトパウチ１０とアタッチメント１００とが接合されず、保持部材がフックの場合である。
【００４６】
第１例に関するスパウトパウチセット１の使用方法について説明する。ユーザーはスパウト７０が下方に位置する状態を保ちながらスパウトパウチ１０をスタンド(図示略)から持ち上げ、図３に示されるように、アタッチメント１００を一方の手で握る。典型的な使用例では、アタッチメント１００の第１アーム１１０の外面１１２に一方の手の親指が接触し、第２アーム１２０の外面１２２に一方の手の残りの指が接触する。ユーザーは次にアタッチメント１００の第１アーム１１０と第２アーム１２０とが接近するようにアタッチメント１００に力を加える。これにより、図６に示されるように各アーム１１０、１２０がパウチ２０を圧縮しながら接近する。ユーザーは各対象部２５、２６内の収容空間３０が実質的になくなるまでアタッチメント１００を握ることができる。各対象部２５、２６内の収容空間３０は、第１空間３１、第３空間３３、第４空間３４、および、第５空間３５の一部を含む。
【００４７】
図４は各対象部２５、２６内の収容空間３０が実質的になくなるまでパウチ２０が圧縮された状態を示す。パウチ２０がアタッチメント１００により圧縮されることにともない、各対象部２５、２６内の収容空間３０の内容物Ｃには内容物Ｃを様々な方向に流そうとする力が働く。第１空間３１の内容物Ｃの一部は第１空間３１から第５空間３５に流れようとする。ただし、第１空間３１と第５空間３５との間に抵抗部５０が設けられているため、内容物Ｃの流れが妨げられる。これにより、第１空間３１の内容物Ｃは相対的に抵抗が小さいスパウト７０の入口７２に流入しやすい。第３空間３３の内容物Ｃの多くは第４空間３４側に流れる。第４空間３４および第５空間３５の内容物Ｃの多くは第２シール部４２側に流れる。
【００４８】
標準的な大きさの手を有するユーザーがアタッチメント１００を握った場合、図３に示されるように親指が第１アーム１１０のうちの第３空間３３における第１連通部６１の通路６１Ａ近傍と重なる部分に位置する。このため、ユーザーが各アーム１１０、１２０によりパウチ２０を圧縮した場合に第１空間３１の内容物Ｃを第３空間３３側から第１シール部４１側に押す力が強く働き、第１空間３１の内容物Ｃが第３空間３３側に流れにくい。このため、第１空間３１の内容物Ｃの多くがスパウト７０の入口７２に流入する。
【００４９】
好ましいセット状態が形成されるようにスパウトパウチ１０とアタッチメント１００とが接合されている場合、ユーザーは常に好ましいセット状態においてパウチ２０を圧縮できる。アタッチメント１００がスパウトパウチ１０に接合されていない場合でも、アタッチメント１００の縁１０２および内面１３１とスパウトパウチ１０との位置関係等を利用して、ユーザーは好ましいセット状態を容易に形成できる。このため、ユーザーは圧縮動作毎にスパウトパウチ１０の同じ位置をアタッチメント１００により圧縮できる。また、ユーザーは各アーム１１０、１２０が相対的に接近できなくなるまでアタッチメント１００を握ることにより圧縮動作毎におけるパウチ２０の圧縮量をおおよそ一定に保つことができる。このようにスパウトパウチセット１によれば、圧縮動作毎にパウチ２０の圧縮される部位およびパウチ２０の圧縮量にばらつきが生じにくい。このため、第１空間３１の内容物Ｃには圧縮動作毎におおよそ同じような力が働き、その力による内容物Ｃの流れが上記のとおり抵抗部５０によりコントロールされるため、スパウト７０の入口７２に流入する内容物Ｃの量が圧縮動作毎にばらつきにくい。このため、圧縮動作毎の単位吐出量のばらつきが小さくなる。なお、セット状態が好ましいセット状態と一致しない場合でも、スパウトパウチ１０に対するアタッチメント１００の位置が好ましいセット状態における位置から著しくずれていなければ、圧縮動作毎の単位吐出量のばらつきが低減される。
【００５０】
第２例に関するスパウトパウチセット１の使用方法について説明する。ユーザーはスパウト７０が下方に位置する状態を保ちながらスパウトパウチ１０をスタンドから持ち上げ、アタッチメント１００をスパウトパウチ１０にセットし、アタッチメント１００を一方の手で握る。その後は第１例と同様の手順で内容物Ｃが吐出される。
【００５１】
第３例に関するスパウトパウチセット１の使用方法について説明する。この場合の使用方法は例えば次の第１使用方法および第２使用方法を含む。第１使用方法では、ユーザーはスパウト７０が下方に位置する状態を保ちながらスパウトパウチ１０をフック(図示略)から取り外し、アタッチメント１００を一方の手で握る。その後は第１例と同様の手順で内容物Ｃが吐出される。第２使用方法では、ユーザーはスパウトパウチ１０がフックに吊り下げられた状態においてアタッチメント１００を一方の手で握る。その後は第１例と同様の手順で内容物Ｃが吐出される。
【００５２】
第４例に関するスパウトパウチセット１の使用方法について説明する。この場合の使用方法は例えば次の第１使用方法および第２使用方法を含む。第１使用方法では、ユーザーはスパウト７０が下方に位置する状態を保ちながらスパウトパウチ１０をフック(図示略)から取り外し、アタッチメント１００をスパウトパウチ１０にセットし、アタッチメント１００を一方の手で握る。その後は第１例と同様の手順で内容物Ｃが吐出される。第２使用方法では、ユーザーはスパウトパウチ１０がフックに吊り下げられた状態においてスパウトパウチ１０にセットし、アタッチメント１００を一方の手で握る。その後は第１例と同様の手順で内容物Ｃが吐出される。
【００５３】
(実施例)
本願発明者はスパウトパウチ１０の単位吐出量のばらつきを確認する第１試験〜第４試験を実施した。第１試験では、実施例の試料の単位吐出量および比較例の試料の単位吐出量をそれぞれ測定した。第２試験〜第４試験では、実施例の試料に関する諸元を変更して単位吐出量を測定した。各試験の内容物Ｃはシャンプーである。各試験の内容物Ｃの目標値は３ｇである。各試験ではスパウトパウチ１０から吐出された内容物Ｃの重量をはかりにより測定した。以下の説明では、説明の便宜上、比較例の試料における実施例の試料と共通する部分について同一の符号を付している。
【００５４】
第１試験の詳細について説明する。図７は第１試験に関する比較例の試験条件および試験結果である。図８は第１試験に関する実施例の試験条件および試験結果である。実施例の試料は実施形態に関するスパウトパウチセット１である。比較例の試料は実施例のスパウトパウチ１０とは異なる構成を備えるスパウトパウチ１０であり、アタッチメント１００を含まない。比較例のスパウトパウチ１０は抵抗部５０を含まない点において実施例のスパウトパウチ１０と相違し、その他の点において実施例のスパウトパウチ１０と同じ構成を備える。実施例および比較例のスパウトパウチ１０に関する諸元は次のとおりである。各シート２１、２２の最外層を構成する材料はポリエチレンテレフタレートである。最外層の厚さは１２μｍである。各シート２１、２２の中間層を構成する材料はナイロンである。中間層の厚さは１５μｍである。各シート２１、２２の最内層を構成する材料は直鎖状低密度ポリエチレンである。最内層の厚さは６０μｍである。パウチ２０の幅は１４０ｍｍである。パウチ２０の高さは２２０ｍｍである。抵抗部長さＬＲは５０ｍｍである。シール部４０の幅は１０ｍｍである。
【００５５】
第１試験では４人の被験者が実施例の試料および比較例の試料のそれぞれを用いて複数回の圧縮動作を実施し、それぞれの圧縮動作における単位吐出量を測定した。実施例の試料ではアタッチメント１００を用いて圧縮動作が実施された。比較例の試料ではアタッチメント１００を用いることなく手で直接的に圧縮動作が実施された。実施例の試料を用いた試行回数および比較例の試料を用いた試行回数はそれぞれ９回である。
【００５６】
図７および図８の最大単位吐出量は９回の試行における最大の単位吐出量である。最小単位吐出量は９回の試行における最小の単位吐出量である。平均単位吐出量は９回の試行における単位吐出量の平均値である。図７および図８に示されるとおり、実施例の試料を用いた場合は比較例の試料を用いた場合よりも単位吐出量のばらつきが小さく、単位吐出量の平均値が目標値に近い。
【００５７】
第２試験ではパウチ２０の幅が単位吐出量に及ぼす影響を確認するため、パウチ２０の幅が異なる実施例１〜４の試料を用いて単位吐出量を測定した。図９に示されるように、実施例１〜４の試料のいずれを用いた場合でも単位吐出量に関して好ましい結果が得られた。また、比較例の試料を用いた場合よりも単位吐出量のばらつきが小さく、単位吐出量の平均値が目標値に近いことが確認された。パウチ２０の幅が１１０ｍｍ以上の場合、スパウトパウチ１０の製造時にパウチ２０に内容物Ｃを充填する工程において、内容物Ｃの充填性がより高くなる。これは、第２連通部６２の通路６２Ａの幅が広く、第２シール部４２側から充填された内容物Ｃが第１シール部４１側に流れやすいことが関係していると考えられる。パウチ２０の幅が１８０ｍｍ以下の場合、標準的な大きさの手を有するユーザーがパウチ２０をより持ち運び易いことが確認された。
【００５８】
第３試験ではパウチ２０の容積が同一である場合にパウチ２０の幅および高さの関係が単位吐出量に及ぼす影響を確認するため、パウチ２０の容積が同一であり、パウチ２０の幅および高さが異なる実施例１、５の試料を用いて単位吐出量を測定した。図１０に示されるように、実施例１、５の試料のいずれを用いた場合でも単位吐出量に関して好ましい結果が得られた。また、比較例の試料を用いた場合よりも単位吐出量のばらつきが小さく、単位吐出量の平均値が目標値に近いことが確認された。パウチ２０の幅が１７０ｍｍ以下の場合、標準的な大きさの手を有するユーザーがパウチ２０をより持ち運び易いことが確認された。
【００５９】
第４試験ではパウチ２０の高さが単位吐出量に及ぼす影響を確認するため、パウチ２０の高さが異なる実施例６〜８の試料を用いて単位吐出量を測定した。図１１に示されるように、実施例１〜４の試料のいずれを用いた場合でも単位吐出量に関して好ましい結果が得られた。また、比較例の試料を用いた場合よりも単位吐出量のばらつきが小さく、単位吐出量の平均値が目標値に近いことが確認された。パウチ２０の高さが２８０ｍｍ以下である場合、標準的な大きさの手を有するユーザーがパウチ２０をより持ち運び易いことが確認された。
【００６０】
第５試験では抵抗部長さＬＲが単位吐出量に及ぼす影響を確認するため、パウチ２０の幅および高さが同一であり、抵抗部長さＬＲが異なる実施例９〜１１の試料を用いて単位吐出量を測定した。図１２に示されるように、実施例９〜１１の試料のいずれを用いた場合でも単位吐出量に関して好ましい結果が得られた。また、比較例の試料を用いた場合よりも単位吐出量のばらつきが小さく、単位吐出量の平均値が目標値に近いことが確認された。
【００６１】
第６試験では実施例９〜１１のパウチ２０よりも大型のパウチ２０において抵抗部長さＬＲが単位吐出量に及ぼす影響を確認するため、パウチ２０の幅および高さが同一であり、抵抗部長さＬＲが異なる実施例１２〜１４の試料を用いて単位吐出量を測定した。図１３に示されるように、実施例１２〜１４の試料のいずれを用いた場合でも単位吐出量に関して好ましい結果が得られた。また、比較例の試料を用いた場合よりも単位吐出量のばらつきが小さく、単位吐出量の平均値が目標値に近いことが確認された。抵抗部長さＬＲが１４０ｍｍ未満である場合、スパウトパウチ１０の姿勢が保管時姿勢以外の姿勢から保管時姿勢に変更された後に第５空間３５から第３空間３３に速やかに内容物Ｃが流れることが確認された。これは、第２連通部６２の通路６２Ａの幅が広く、第５空間３５の内容物Ｃが第４空間３４を通過しやすいことが関係していると考えられる。
【００６２】
(変形例)
上記実施形態に関する説明は本発明に関するスパウトパウチセットが取り得る形態の例示であり、その形態を制限することを意図していない。本発明に関するスパウトパウチセットは例えば以下に示される上記実施形態の変形例、および、相互に矛盾しない少なくとも２つの変形例が組み合わせられた形態を取り得る。
【００６３】
・抵抗部５０の構成は任意に変更可能である。第１例では、図１４の変形例Ａに示されるように、パウチ２０は抵抗部５０に代えて抵抗部５０Ｐを含む。抵抗部５０Ｐは不連続に形成された複数の抵抗部５０Ｐ１を含む。パウチ２０の幅方向において隣り合う抵抗部５０Ｐ１の間に隙間５０Ｐ２が形成される。アタッチメント１００により圧縮動作が実施された場合、第１空間３１の内容物Ｃの一部が隙間５０Ｐ２を通過して第５空間３５に流れる。ただし、隙間５０Ｐ２を通過する内容物Ｃに大きな抵抗が与えられるため、隙間５０Ｐ２を通過して第１空間３１から第５空間３５に流れる内容物Ｃの量が少なくなる。このため、第１空間３１の内容物Ｃの多くがスパウト７０の入口７２に流入する。
【００６４】
第２例では、図１５の変形例Ｂに示されるように、パウチ２０は抵抗部５０に代えて抵抗部５０Ｑを含む。抵抗部５０Ｑは第３シール部４３と平行するようにパウチ２０の高さ方向に延びる。抵抗部５０Ｑは第３シール部４３と第４シール部４４との間において第３シール部４３寄りに設けられる。抵抗部５０Ｑは第１端部５０Ｑ１および第２端部５０Ｑ２を含む。第１端部５０Ｑ１はパウチ２０の高さ方向における抵抗部５０Ｑの一方の端部であり、第１シール部４１と繋がる。第２端部５０Ｑ２はパウチ２０の高さ方向における抵抗部５０Ｑの他方の端部であり、第２シール部４２(図１参照)から離れた位置に設けられる。スパウトパウチ１０が変形例Ｂの抵抗部５０Ｑを含む場合でも、実施形態に例示されたスパウトパウチセット１の使用方法と同様の使用方法により内容物Ｃをスパウトパウチ１０から吐出させることができる。抵抗部５０Ｑの構成が実施形態の抵抗部５０の構成と異なるため、アタッチメント１００によりパウチ２０が圧縮された場合の内容物Ｃの流れは実施形態に例示された内容とは一致しないが、スパウト７０の入口７２から離れる方向に移動しようとする内容物Ｃの一部の流れが抵抗部５０Ｑにより妨げられるため、スパウト７０の入口７２に内容物Ｃが流入しやすい。スパウトパウチセット１がアタッチメント１００を含むことにより、圧縮動作毎にパウチ２０の圧縮される部位およびパウチ２０の圧縮量にばらつきが生じにくい点は実施形態と同様であるため、スパウトパウチ１０が変形例Ｂの抵抗部５０Ｑを含む場合も圧縮動作毎の単位吐出量のばらつきが小さくなる。このスパウトパウチ１０を含むスパウトパウチセット１に関する好ましい一例では、各アーム１１０、１２０の長手方向がパウチ２０の高さ方向に沿うセット状態を形成できるようにアタッチメント１００の各部分の寸法が設定される。この場合の好ましいセット状態の一例では、アタッチメント１００の連結部１３０の内面１３１(図２参照)が第２シール部４２の外縁４０Ｆ(図１参照)近傍に位置し、各アーム１１０、１２０の一方の縁１０３が第３シール部４３の内縁４０Ｃまたは外縁４０Ｇ近傍に位置し、各アーム１１０、１２０の先端部が第１シール部４１の内縁４０Ａ近傍に位置する。各アーム１１０、１２０は少なくともパウチ２０の周囲部２４０の全体をおおよそ均一に圧縮できるように構成される。周囲部２４０は第１シール部４１の内縁４０Ａの第１部分４０Ａ１、抵抗部５０Ｑの第１縁５０Ｑ３、第４境界線Ｌ４、および、第３シール部４３の内縁４０Ｃに囲まれた部分である。第４境界線Ｌ４は抵抗部５０Ｑの第２縁５０Ｑ４上を通過する直線における第１角５０Ｑ５と第３シール部４３の内縁４０Ｃとの間の部分である。
【００６５】
・アタッチメント１００の構成は任意に変更可能である。アタッチメント１００は圧縮動作毎の単位吐出量のばらつきが生じにくい構成を備えることが好ましい。第１例では、図１６の変形例Ｃに示されるように、アタッチメント１００は第１アーム１１０の先端部と第２アーム１２０の先端部とを繋げる第２連結部１４０をさらに含む。第２例では、図１７の変形例Ｄに示されるように、アタッチメント１００は連結部１３０に代えて結合部１６０を含む。各アーム１１０、１２０は分離している。結合部１６０は第１結合部１６１および第２結合部１６２を含む。一例では、各結合部１６１、１６２は、互いに結合された場合に各アーム１１０、１２０が相対的に接近するように各アーム１１０、１２０を回転させることができるように構成される。第１結合部１６１は第１アーム１１０の端部１１０Ａに設けられる軸受である。第２結合部１６２は第２アーム１２０の端部１２０Ａに設けられる軸である。第３例では、アタッチメント１００は連結部１３０を含まない。各アーム１１０、１２０は分離している。各アーム１１０、１２０は好ましいセット状態が形成されるように各シート２１、２２と接着剤等により予め接合される。
【符号の説明】
【００６６】
１    ：スパウトパウチセット
１０  ：スパウトパウチ
２０  ：パウチ
２１  ：第１シート
２２  ：第２シート
２４  ：周囲部
３０  ：収容空間
３１  ：第１空間
３２  ：第２空間
４０  ：シール部
４１  ：第１シール部
４１Ｒ：保持部
４２  ：第２シール部
５０  ：抵抗部(実施形態)
５０Ｐ：抵抗部(変形例Ａ)
５０Ｑ：抵抗部(変形例Ｂ)
６１Ａ：通路
７０  ：スパウト
７２  ：入口
１００：アタッチメント
１１０：第１アーム
１２０：第２アーム
１３０：連結部
【図１】
2018095300.tif 000003
【図２】
2018095300.tif 000004
【図３】
2018095300.tif 000005
【図４】
2018095300.tif 000006
【図５】
2018095300.tif 000007
【図６】
2018095300.tif 000008
【図７】
2018095300.tif 000009
【図８】
2018095300.tif 000010
【図９】
2018095300.tif 000011
【図１０】
2018095300.tif 000012
【図１１】
2018095300.tif 000013
【図１２】
2018095300.tif 000014
【図１３】
2018095300.tif 000015
【図１４】
2018095300.tif 000016
【図１５】
2018095300.tif 000017
【図１６】
2018095300.tif 000018
【図１７】
2018095300.tif 000019